(57)【要約】【課題】  歩行玩具用スイッチが不用意にオン状態となって短時間で電池が消耗しないようにする。【解決手段】  電池155、電磁石180、永久磁石151を備え、永久磁石と電磁石との反発力によって後足部168を玩具100の前端部に接近させることにより前端部を浮かせてスイッチ200をオフ状態とし、反発力を消滅させて前端部を前方に送り、前端部を歩行面に接触させてスイッチ200をオン状態として反発力を生じさせることを繰り返す歩行玩具におけるスイッチであって、揺動接点板240と、接点部245が接触可能とされる導線板230と、揺動接点板の前端近傍を押し上げるスイッチ可動体210と、を有し、スイッチ可動体は玩具の前端部に上下移動可能に取り付けられ、揺動接点板は、磁力の影響を受ける金属であって本体部241及び本体部の後端から立ち上がる垂直部243を有し、本体部の前端をスイッチ可動体に乗せ、垂直部を永久磁石の近傍に位置させた歩行玩具用スイッチとする。【選択図】    図３
2020048863.tif 000002
【特許請求の範囲】
【請求項１】
電池、電磁石、永久磁石が組み込まれ、前記永久磁石と前記電磁石との反発力によって後足部を玩具の後方から前端部に接近させることにより前記後足部で当該玩具を支えて前記前端部を歩行面から浮かせ、前記前端部が浮いたときにスイッチがオフ状態となって前記電磁石への通電を遮断し、前記永久磁石と前記電磁石との反発力を消滅させて前記永久磁石と前記電磁石とを接近可能とすることにより前記後足部と前記前端部との間隔を広げるように浮いた前記前端部を前方に送り、当該玩具の重心が当該玩具を支える前記後足部よりも前方になることにより前記前端部を前記歩行面に接触させて前記スイッチをオン状態とし、再度、前記後足部を前記前端部に接近させることを繰り返す歩行玩具におけるスイッチであって、
前記電磁石の一方のコイルリード線が接続される揺動接点板と、前記揺動接点板の前端に形成した接点部が下方から接触可能とされる導線板と、前記揺動接点板の前端近傍を押し上げるスイッチ可動体と、を有し、
前記スイッチ可動体は、当該玩具の前記前端部に上下移動可能に取り付けられて当該スイッチ可動体の底部を当該玩具の下面から下方に突出させ、
前記揺動接点板は、磁力の影響を受ける金属であって前後方向に長い長方形平板状の本体部及び該本体部の後端から立ち上がる垂直部を有し、且つ、前記本体部の前端を前記導線板の下方に位置させて前記スイッチ可動体の前記底部に乗せ、更に、前記垂直部を前記永久磁石の磁極面周縁部の下方近傍に位置させて前記本体部の中間を揺動軸として当該本体部の前端及び後端を上下に揺動可能とされ、弾性体を用いずに磁力を利用することで歩行動作を行うためのオン状態・オフ状態を繰り返し、且つ、不用意にスイッチがオン状態とならないようにしたことを特徴とする歩行玩具用スイッチ。
【請求項２】
前記揺動接点板は、前記玩具の底板に形成した窪みに収納され、前記導線板は前記玩具の前記底板の上面に取り付けられていることを特徴とする請求項１に記載した歩行玩具用スイッチ。
【請求項３】
前記揺動接点板は、前後方向に長い長方形とされた前記本体部の前後方向中間部から左右に延設される支持腕部を有し、当該支持腕部の左右両端近傍で支持されて前記本体部を揺動可能としていることを特徴とする請求項１又は請求項２に記載した歩行玩具用スイッチ。
【発明の詳細な説明】
【技術分野】
【０００１】
本発明は、小型の歩行玩具に関し、特に歩行玩具の歩行動作を制御するスイッチ機構に関するものである。
【背景技術】
【０００２】
本件出願人は、小型の歩行玩具として、モータや減速歯車列を組み込むことなく、全体を小型化した歩行玩具を提案（例えば特許文献１）し、提供している。
【０００３】
この歩行玩具は、外装ケースの内部に、側面視をＬ字形状とするように平板状の背板と底板とが水平方向及び垂直方向として組み合わされた可動体と、この可動体の左右両側の側面板の外方に略扇形とされた平板状の揺動板とを有し、２枚の平板状の揺動板は、扇形の円弧状部分を下方として可動体の左右に平行に配置され、揺動板の上端近傍を側面板の前方上端近傍へ揺動可能に取り付けられるものである。
【０００４】
また、可動体の後方で垂直部分とされた背板には、電池収納部が形成されると共に電池収納部の前方に永久磁石が取り付けられ、この背板の左右両端縁からは、揺動板を取り付ける側面板が背板から夫々前方へ延設されているものであり、底板の前端を前足に似せると共に、この底板の前端にはスイッチを設け、このスイッチは玩具の載置平面に接触するとオン状態とされるスイッチとしているものである。
【０００５】
そして、可動体の両側に配置した揺動板は、両揺動板の前端縁を接続する接続板を有し、この接続板には電磁石を設け、底板前端に設けたスイッチがオン状態となって電磁石に通電されると背板に設けた永久磁石と反発し、接続板を前方へ、ひいては揺動板を前方へ移動させるものである。
【０００６】
この揺動板は、円弧形状の下端を底板前端の前足部分よりも後方で底板よりも下方に突出して後足を形成するものとし、前足と後足をほぼ同一高さとして可動体を空中で保持したとき、スイッチはオフ状態とされ、電磁石や接続板の重みにより電磁石と永久磁石とを接近させて底板前端に形成した前足と揺動板下方の後足との距離を大きく離しており、この状態で当該歩行玩具をテーブル上に置くと、玩具全体の重心が前足と後足との中間に位置するものである。
【０００７】
そして、歩行面にスイッチが接触してオン状態となると、可動体における側面板の前方上端近傍へ上端を揺動可能に取り付けた揺動板と一体にされた電磁石に通電が行われ、電磁石が永久磁石に反発して前方へ移動し、接続板及び揺動板の下方を可動体に対して前方へ移動させ、後足とした揺動板の下端を前足方向に引き寄せるものである。
【０００８】
このように後足とした揺動板の下端が前方へ移動して前足に接近させるとき、玩具の重心よりも後足が前方となって重心が後足よりも後方になると玩具は前足を歩行面から浮かせ、スイッチがオフ状態となって電磁石への通電が遮断される。
【０００９】
このため、電磁石と永久磁石との反発力が消滅し、下端を後足とした揺動板に支えられ、揺動板の上方に側面板の前方上端近傍が取り付けられて重心を後足位置よりも後方とした可動体は、下方部分を前方に移動させるように揺動して永久磁石を電磁石に接近させる。
【００１０】
このようにして可動体の下方が前方に移動して玩具の重心が後足よりも前方に位置することとなったとき、玩具は後足の歩行面への接触位置を中心に前方へ傾き、前足を歩行面に接触させる。
【００１１】
そして前足が歩行面に接触するとスイッチがオン状態とされ、永久磁石が接近した電磁石に通電を行って反発力を生じさせ、電磁石を前方に移動させ、歩行面に接地している前足に後足を接近させるように移動させる。
【００１２】
このようにして後足が玩具の重心よりも前方になると前足を浮かせ、可動体の下方や前足及び可動体の重心、ひいては玩具の重心を前方に移動させ、前足を歩行面に接触させて電磁石に通電し、後足を引き寄せるようにして歩行をするものである。
【００１３】
このように、この玩具は、ボタン電池等の小型電池と永久磁石を支持する可動体と、永久磁石の前方に位置させる電磁石及びこの電磁石を取り付ける接続板や接続板の両端に固定されて可動体の側面板の外側で側面板の前方上端近傍に上端近傍が取り付けられる揺動板で形成した揺動部材と、で構成されるため、高さや幅などを２cm程度とする極めて小型の歩行玩具とすることができるものである。
【００１４】
そして、この歩行玩具の配線は、図７に示す様に、背板の電池収納部に収納された電池155の端面である−極に接触する接点部223を下端に形成し、上端に電磁石のコイルリード線183が接続される第１の導線板220と、後端を電池155の＋極である電池155の周壁に接触させて前端を前足位置近傍に設けるスイッチ可動体210の上方に位置させる第２の導線板230と、スイッチ可動体210の上方にして第２の導線板230の下方に位置するＪ字形の弾性接点棒255を取り付ける水平部253と水平部253から立ち上がる垂直部251の上端にコイルリード線183が接続される第３の導線板250と、で形成される。
【００１５】
尚、スイッチ可動体210は略Ｕ字形とされて上面に窪みを有し、底板の前端近くの中央に設けた貫通穴に挿入され、貫通穴から脱落することなく底板の下面から下方に下端を突出させ、底板の下方に位置させた弾性接点棒255や底板の上面に固定した第２の導線板230の前端近傍を上面に形成された窪みに収納し、底板の貫通穴内で底板に対して上下移動可能とされるものである。
【００１６】
そして、電磁石に通電を行わない状態、例えば電池155を取り外した状態で当該玩具をテーブル等の歩行面に載置したとき、スイッチ可動体210の下面が歩行面に接触するとスイッチ可動体210が底板に対して上昇するように押し上げられ、第３の導線板250に固定された弾性接点棒255の先端部257を押し上げて折返し部259を第２の導線板230と接触させ、電磁石への通電が可能な状態とし、前足を歩行面から浮かせてスイッチ可動体210を歩行面から離すと、自重によりスイッチ可動体210は貫通穴の内部で降下し、底板の下面に固定した第３の導線板250に接続固定された弾性接点棒255は棒状部256の弾性力により平常状態の形状に戻って先端部257を降下させ、折返し部259を第２の導線板230から離し、電磁石への通電状態を解除するものである。
【００１７】
このように、この小型の歩行玩具は、弾性を備えた細い鋼線であってＪ字形とされた弾性接点棒255を第２の導線板230と僅かな間隙を持たせて第２の導線板230の下方に配置し、第３の導線板250に固定された弾性接点棒255は、スイッチ可動体210によりその先端部257が下方から持ち上げられると弾性接点棒255の棒状部256が湾曲するように変形してＪ字形の先端に形成した折返し部259を第２の導線板230へ接触させ、スイッチ可動体210が降下すると弾性接点棒255は通常形状に復帰して第２の導線板230との接触を解除し、電磁石への通電及び通電の遮断を繰り返して歩行玩具に歩行を行わせるものである。
【００１８】
そして、この歩行玩具は、モータや減速歯車及び電源スイッチを有することなく玩具全体の小型化を追求した歩行玩具であり、前足及び後足を平坦面に載置した状態では歩行を常に行うものであって、歩行を行わせないときは、上下逆向きとして保管するものである。
【先行技術文献】
【特許文献】
【００１９】
【特許文献１】特開２００８−０４８８７９号公報
【発明の概要】
【発明が解決しようとする課題】
【００２０】
前述の様に、電源スイッチを有することなく、保管時は逆向きにしておく小型の歩行玩具では、保管時に短時間で電池が消耗し、使用時に歩行動作を行わなくなる製品となることがあった。
【００２１】
これは、当該歩行玩具の上下を逆にして保管する時、スイッチ可動体の自重により、弾性接点棒の先端をスイッチ可動体が押し下げ、弾性接点棒の先端と第２の導線板とが接触して電磁石の通電状態を保管中持続させることとなって電池を消耗させるためであり、第２の導線板と弾性接点棒の先端との間隙が狭い製品に生じる現象である。
【００２２】
この第２の導線板と弾性接点棒の先端との間隙が狭い製品は、部品の製造誤差や組み立て前の部品の保管移送時における外部応力の影響等により、また、歩行玩具の組み立て誤差により、歩行玩具を組み立てたときに、第２の導線板と弾性接点棒の先端との間隔量にバラツキが生じて、第２の導線板と弾性接点棒の先端との間隙が狭い製品として生産される場合が生じるためである。
【００２３】
そして、この様な製品を完成品から除くためには間隙の調整が必要となるも、部品の製造誤差や組み立て誤差等により生じた第２の導線板と弾性接点棒の先端との間隙の不揃いを、弾性を備えた弾性接点棒の先端位置を調整して所定の間隙に調整設定することは、極めて多くの時間と手数を要し、困難な作業となっていた。
【００２４】
このため、本発明は、この様な問題点を解消するために、弾性を有する部材を用いることなくスイッチを構成し、不用意なオン状態となることを防止できる小型の歩行玩具用の制御スイッチを提供するものである。
【課題を解決するための手段】
【００２５】
本発明に係る歩行玩具用スイッチは、電池、電磁石、永久磁石が組み込まれ、前記永久磁石と前記電磁石との反発力によって後足部を玩具の後方から前端部に接近させることにより前記後足部で当該玩具を支えて前記前端部を歩行面から浮かせ、前記前端部が浮いたときにスイッチがオフ状態となって前記電磁石への通電を遮断し、前記永久磁石と前記電磁石との反発力を消滅させて前記永久磁石と前記電磁石とを接近可能とすることにより前記後足部と前記前端部との間隔を広げるように浮いた前記前端部を前方に送り、当該玩具の重心が当該玩具を支える前記後足部よりも前方になることにより前記前端部を前記歩行面に接触させて前記スイッチをオン状態とし、再度、前記後足部を前記前端部に接近させることを繰り返す歩行玩具におけるスイッチであって、前記電磁石の一方のコイルリード線が接続される揺動接点板と、前記揺動接点板の前端に形成した接点部が下方から接触可能とされる導線板と、前記揺動接点板の前端近傍を押し上げるスイッチ可動体と、を有し、前記スイッチ可動体は、当該玩具の前記前端部に上下移動可能に取り付けられて当該スイッチ可動体の底部を当該玩具の下面から下方に突出させ、前記揺動接点板は、磁力の影響を受ける金属であって前後方向に長い長方形平板状の本体部及び該本体部の後端から立ち上がる垂直部を有し、且つ、前記本体部の前端を前記導線板の下方に位置させて前記スイッチ可動体の前記底部に乗せ、更に、前記垂直部を前記永久磁石の磁極面周縁部の下方近傍に位置させて前記本体部の中間を揺動軸として当該本体部の前端及び後端を上下に揺動可能とされ、弾性体を用いずに磁力を利用することで歩行動作を行うためのオン状態・オフ状態を繰り返し、且つ、不用意にスイッチがオン状態とならないようにしているものである。
【００２６】
また、この歩行玩具用スイッチは、前記揺動接点板が、前記玩具の底板に形成した窪みに収納され、前記導線板が前記玩具の前記底板の上面に取り付けられることが好ましい。
【００２７】
更に、前記揺動接点板は、前後方向に長い長方形とされた前記本体部の前後方向中間部から左右に延設される支持腕部を有し、当該支持腕部の左右両端近傍で支持されて前記本体部を揺動可能とすることが好ましい。
【発明の効果】
【００２８】
本発明に係る歩行玩具用スイッチは、前後方向に長い長方形平板状の磁力の影響を受ける金属による揺動接点板の前端を上下に移動させるように揺動接点板の本体部を揺動させてスイッチをオン状態及びオフ状態とするものであり、接点をオンオフさせる揺動接点板が平板状の金属板であるため、当該揺動接点板の組み立て前の保管や移送中に不用意に変形することなく、また、部品の製造誤差などが生じ難く、揺動接点板の接点部とこの接点部が接触する導線板との間隔を所定範囲内に保つことが容易となる。
【００２９】
また、揺動接点板の本体部前端をスイッチ可動体の底部に乗せ、且つ、垂直部を永久磁石の磁極面周縁部の下方近傍に位置させて本体部の中間を揺動軸として本体部の前端及び後端を上下に揺動可能とするものであるから、揺動接点板の後端を永久磁石で吸引して前端を下方に位置させ、スイッチ可動体が押し上げられると前端を上方に移動させて導線板に接触させてスイッチをオン状態とするものであり、スイッチをオン状態とするためのスイッチ可動体により前端を押し上げるために必要な力を、揺動接点板の垂直部と永久磁石との距離で調整可能としており、歩行玩具を上下逆向きにした時などに不用意にスイッチがオン状態とならないように調整することも容易に可能となる。
【００３０】
そして、導線板を底板の上面に取り付け、揺動接点板を底板に形成した窪みに収納するようにすれば、揺動接点板の接点を導線板の下方に所定の間隔とするようにしてスイッチを組み立てることが容易にできる。
【００３１】
更に、揺動接点板の本体部の前後方向中間部から左右に延設される支持腕部を形成すれば、本体部を湾曲させるのみでなく、支持腕部を湾曲させる等により、揺動接点板の接点部と導線板との間隙調整や、揺動接点板の垂直部と永久磁石との距離調整が容易に行えるものである。
【図面の簡単な説明】
【００３２】
【図１】本発明の実施形態に係る歩行玩具の外観を示す斜視図。
【図２】本発明の実施形態に係る歩行玩具の要部内部構造を示す斜視図。
【図３】本発明の実施形態に係る歩行玩具の断面側面図。
【図４】本発明の実施形態に係る歩行玩具の電気回路の概要を示す図。
【図５】本発明の実施形態に係る歩行玩具の可動体の概要を示す分解斜視図。
【図６】本発明の実施形態に係る歩行玩具の動作状態を示す図。
【図７】従来の歩行玩具の電気回路の概要を示す図。
【発明を実施するための形態】
【００３３】
本発明に係る歩行玩具の実施の形態は、図１に示す様に、略立方体形状とされた小型の歩行玩具100であって、その外観を４足の動物に似せる外装ケース110の内部に図２に示す様な可動体120及び揺動部材160を収納するものである。
【００３４】
この外装ケース110は、当該歩行玩具100の前面、上面、左右側面を覆うものであって、前面上方に顔111を形成して上面前方左右に耳112を設け、上面は動物の背中を模し、左右側面は動物の側面を模し、側面下方後方部に後足を模した疑似脚113を形成するようにしており、下方及び後方を開口し、下方の開口部分は可動体120の底板141で塞ぎ、後方の開口部分は動物の後姿を模した電池カバー115（図３参照）を合わせることにより、全体を動物の形状に似せているものである。
【００３５】
また、この歩行玩具100は、前足部149及び後足部168を下方としてテーブルや床などの適宜の平坦面とされた歩行面に載置すると歩行動作を常に行うものであって、歩行動作を停止させる場合、前足部149及び後足部168を上方として背中や腰、耳112等を適宜の平坦面に当てるように仰向けに寝かせるものである。
【００３６】
尚、４足動物の顔111の方向を前方として逆方向を後方とし、足を外装ケース110等に形成する方向を下方、逆方向を上方とし、当該歩行玩具100の正面前方から当該歩行玩具100を見て右側を右方向、逆方向を左方向として説明する。
【００３７】
そして、この外装ケース110に収納される揺動部材160は、電磁石180を設ける接続板171により左右の揺動板161を接続しているものであって、揺動板161が、可動体120の側面板131の外面に取り付けられるものである。
【００３８】
この揺動板161は、縦長長方形の脚部163と脚部163の下端で扇形とされた後足部168とを有し、後足部168の下方を円弧形状として可動体120の底板141よりも下方に位置させた接地部169とし、脚部163の上端近傍に軸穴165を有して側面板131の揺動ピン133に取り付けられ、揺動ピン133を中心に揺動可能とされると共に、接地部169の曲率中心を略揺動ピン133の位置としているものである。
【００３９】
そして、接続板171は横長長方形とされて長さが可動体120の左右両側面板131の間隔よりも僅かに長い正面部173と正面部173の両端から後方に延設される延長部175とを有し、延長部175の後端を脚部163に接続して左右の揺動板161を一体とするように接続するものである。
【００４０】
また、接続板171の正面部173の中央にコイル固定部177を有し、図２及び図３に示す様に、正面部173の後面位置にコイル181を設けて電磁石180を形成するものである。
【００４１】
そして、可動体120は、図２及び図３に示したように、水平平板状の矩形とされた底板141の前後方向略中央部から立設された背板121を有し、背板121の後面に電池収納部123を、背板121の前面に磁石収納部125を有し、この磁石収納部125に収納する永久磁石151を揺動部材160に取り付けたコイル181と正対させるものである。
【００４２】
更に、背板121の中央上方には電極穴127を有し、電池収納部123の内部周壁に配置する第１の導線板220の前方突出部225を背板121の前方に突出させているものである。
【００４３】
尚、電池収納部123の後方は外装ケース110と組み合わせる電池カバー115を設け、電池カバー115は外装ケース110や可動体120との着脱を容易として電池155の交換を可能とし、外装ケース110は背板121の上端近傍や左右の側面板131の上端近傍等で可動体120に固定しているものである。
【００４４】
また、背板121の左右両端部には、底板141の左右両端部よりも僅かに内側に位置させた側面板131を有し、左右の側面板131は相互に平行とされ、両側面板131の上方前方部分には夫々側面板131の外面から突出する揺動ピン133を同軸として有するものである。
【００４５】
そして、底板141は前端縁近傍の中央にスイッチ可動体120を有し、底板141の上面には第２の導線板230を有し、底板141に形成した接点板本体収納部145に揺動接点板240を収納し、揺動接点板240の接点部245を第２の導線板230における水平部235の先端近傍下方に位置させているものである。
【００４６】
尚、底板141の前方端左右両側位置には、外装ケース110と合わせて前足に見せる前足部149を形成している。
【００４７】
この揺動接点板240、第２の導線板230の水平部235、及び、スイッチ可動体210で形成されるスイッチ200を含む電磁石180の電気回路は、図３及び図４に示す様に、平板状の本体部221を備え、本体部221の下方に電池155の＋極とされる電池155の周壁と接触させる接点部223を備えて電池収納部123の内側に配置される第１の導線板220を有し、第１の導線板220は本体部221の前端から前方に突出させる前方突出部225を備え、この前方突出部225を背板121の電極穴127を貫通させて背板121の前方で電磁石180のコイルリード線183と接続されるものである。
【００４８】
更に、電磁石180の他方のコイルリード線183は、揺動接点板240に接続されるものであり、この揺動接点板240は、図３、図４、及び図５に示す様に、前後方向に長い長方形平板状の本体部241の後端から立ち上がる垂直部243を有し、垂直部243の上端244を永久磁石151の後方磁極面下方隅角部の近くに位置させて底板141の接点板本体収納部145に収納されるものである。
【００４９】
そして、本体部241の前端において上方に突出させた接点部245を第２の導線板230の水平部235における前端近傍下方に位置させ、接点部245の上端と第２の導線板230の前端近傍であるスイッチ接触点部237との間に僅かな間隙を形成しているものである。
【００５０】
また、第２の導線板230は、水平部235の前端近傍であるスイッチ接触点部237をスイッチ可動体210の上方に位置させ、水平部235の後方部分は、揺動接点板240の上方を避けて底板141の前後方向中間部では底板141の側方近傍とされ、側面板131の内側に沿って配置される垂直延設部231に連接される。
【００５１】
この第２の導線板230の垂直延設部231は、上端近傍に接触部233を有し、この接触部233を電池収納部123の略中央に突出させて電池155の−極とされる電池155の端面に接触可能としているものである。
【００５２】
尚、この第１の導線板220、第２の導線板230、及び、揺動接点板240は、ステンレススチールや他のスチール等の金属材料を用いて導電性を確保し、且つ、揺動接点板240については、磁力の影響を受ける金属であって、永久磁石151への吸着力を発揮する材質あり、板バネ等のバネ材料の様な弾力性を有しない金属材料を用いるものである。
【００５３】
従って、この電気回路は、揺動接点板240の接点部245が第２の導線板230の水平部235の下面と接触したとき、電池155の＋極と接する第１の導線板220の接点部223から第１の導線板220の前方突出部225に接続されたコイルリード線183を介してコイル181へ、更にコイル181から他のコイルリード線183を介して揺動接点板240及び第２の導線板230を通り、第２の導線板230の接触部233により電池155の−極への通電が行われるものである。
【００５４】
そして、この電気回路におけるスイッチ200は、スイッチ可動体210、第２の導線板230、揺動接点板240で構成され、スイッチ可動体210は底板141の貫通穴143に挿入され、揺動接点板240が底板141の接点板本体収納部145に収納され、第２の導線板230が底板141の上面に固定され、側面板131の下端前方において、逆三角形状として下方に突出させた接点板押圧部135により、接点板本体収納部145に収納した揺動接点板240の支持腕部247の上面を揺動可能に支持するものである。
【００５５】
即ち、図５に示す様に、底板141は、前端近傍の中央にスイッチ可動体210を収納する貫通穴143を有し、横長の略矩形形状とされた貫通穴143の後方縁から、貫通穴143の左右方向である長軸長さよりも短い所定幅とされた窪みである接点板本体収納部145を底板141の中心線に沿って底板141の略中央まで有し、接点板本体収納部145の前後方向中間位置から左右方向に接点板腕収納部146とする直線状の窪みを有し、接点板腕収納部146の左右両端位置近傍において接点板腕収納部146の底面から僅かに突出する補助支持突起147を有するものである。
【００５６】
尚、接点板本体収納部145の前方部分において、接点板本体収納部145の底面は、貫通穴143の後方と連続して底板141の下方に連通される下部解放部148としている。
【００５７】
そして、スイッチ可動体210は、棒状の本体211における左右両端から各々立ち上がる側部212を有し、側部212の上端部213から左右外方に各々突出する突出部214を有し、左右の側部212に挟まれた本体211の上方空間を窪み部217としているものである。
【００５８】
更に、このスイッチ可動体210は貫通穴143に挿入され、図３に示したように本体211を底板141の下方に突出させ、左右の側部212における左右側面や前後側面を貫通穴143の周面に接触させて上下移動可能とされ、突出部214を底板141の上面に接触させて底板141からの脱落を防止しており、窪み部217に揺動接点板240の接点部245近傍と第２の導線板230のスイッチ接触点部237の近傍とを収納し、揺動接点板240における接点部245の近傍を本体211の上面に乗せているものである。
【００５９】
また、揺動接点板240は、図５に示したように、前後方向を長軸とする長方形平板状の本体部241と、本体部241と同一幅とされて本体部241の後端から立ち上がる平板状の垂直部243と、本体部241の略中央から左右に延びる本体部241の幅よりも狭い幅とされた平板棒状の腕部を左右対称に有し、本体部241の略中央にはＵ字形状の切り抜きにより形成した舌片状のコード接続部249を有するものである。
【００６０】
そして、この本体部241及び腕部により十字形に形成された揺動接点板240は、底板141の接点板本体収納部145及び接点板腕収納部146に収納され、周囲に僅かな間隙を有するようにして接点板本体収納部145及び接点板腕収納部146に収納されるものである。
【００６１】
また、この揺動接点板240は、図３に示したように、接点板腕収納部146に形成した補助支持突起147により支持腕部247の両端部近傍を下から支えられて接点板本体収納部145等の底面から僅かに持ち上げられた状態を確保され、且つ、補助支持突起147と対向する位置の支持腕部247の上面直近には側面板131の下端前方で下方突出した接点板押圧部135の先端を位置させているものである。
【００６２】
更に、垂直部243の上端244を永久磁石151の後方磁極面の下端直近である磁極面周縁部の下方近傍に位置させ、揺動接点板240の垂直部243を永久磁石151により吸引するようにしている。
【００６３】
このため、図３に示したように、左右の支持腕部247の両端近傍において、支持腕部247の上面を側面板131の接点板押圧部135に当接し、垂直部243及び本体部241の後端を永久磁石151に接近させるようにして本体部241の前端ひいては接点部245を下方に位置させるようにしてスイッチ可動体210を押し下げ、接点部245とスイッチ接触点部237との間に間隙を生じさせるものである。
【００６４】
また、スイッチ可動体210が外力により下方から押し上げられると、垂直部243の上端244と永久磁石151の磁極面端部との距離を僅かに大きくする様に接点板押圧部135を中心に揺動し、接点部245をスイッチ接触点部237に接触させて第２の導線板230と揺動接点板240との導通を可能とする。
【００６５】
尚、接点部245をスイッチ接触点部237と接触させる外力は、スイッチ可動体210の自重よりも大きく、当該歩行玩具100の全体の自重の数分の１乃至１０分の１程度よりも小さい力とするものであり、垂直部243の上端244と永久磁石151の磁極面端部との距離を調整するようにして決定し、揺動接点板240の前端を歩行玩具100の全体の自重の数分の１よりも小さい力でスイッチ可動体210により押し上げることができるように永久磁石151による垂直部243を吸引する力を決めている。
【００６６】
従って、当該歩行玩具100の前足部149や後足部168を上として耳112や背中等を平坦面に接触させた状態では、垂直部243が永久磁石151に吸引されて接点部245をスイッチ接触点部237から離し、当該スイッチ200をオフ状態としておくことができる。
【００６７】
また、前足部149や後足部168を下方として当該歩行玩具100を略水平に持ち上げたとき、当該スイッチ200をオフ状態のままとし、電磁石180に通電することなく電磁石180を永久磁石151に接近させ、後足部168を前足部149から離した状態とすることができ、当該歩行玩具100を略水平として歩行面191に載置すると、図６の(Ａ)に示す様に、スイッチ可動体210の下端部215を歩行面191に接触させることができる。
【００６８】
従って、前足部149の位置である底板141の前端近傍に設けたスイッチ可動体210に歩行玩具100の重さが加わり、スイッチ200がオン状態となって電磁石180に通電を行い、電磁石180と永久磁石151との反発力を生じさせる。
【００６９】
このため、電磁石180が前方に押し出されて後足部168が歩行玩具100の前端部に形成された前足部149に接近することとなり、後足部168の歩行面191との接触箇所が玩具全体の重心位置よりも前方になると、図６の(Ｂ)に示す様に、前足部149を歩行面191から離す様に歩行玩具100の前端部を持ち上げることになる。
【００７０】
このため、スイッチ200がオフ状態とされて電磁石180の永久磁石151に対する反発力が消滅し、揺動ピン133で揺動板161に支持された可動体120は、可動体120及び外装ケース110等の重心が後足部168の歩行面191との接触点と揺動ピン133とを結ぶ線よりも後方に位置しているために揺動ピン133を中心に下方を前方に移動させるように揺動し、可動体120等玩具全体の重心が接触点よりも前方になると図６の(Ａ)に示したように歩行玩具100を前方に傾けてスイッチ可動体210を歩行面191に接触させ、スイッチ200をオン状態とする。
【００７１】
このようにして、当該歩行玩具100は、スイッチ200をオン状態及びオフ状態とすることを繰り返して歩行するように前進することは、従前の歩行玩具100と同様である。
【００７２】
そして、この歩行玩具100では、スイッチ200を構成する揺動接点板240や第２の導線板230をステンレススチール等の金属板とし、第２の導線板230は底板141の上面に固定し、第２の導線板230のスイッチ接触点部237の下方に接点部245を位置させた揺動接点板240を接点板押圧部135及び補助支持突起147の位置を中心に揺動可能として接点板本体収納部145や接点板腕収納部146に収納し、揺動接点板240の後端を永久磁石151に吸引させて持ち上げ、接点部245をスイッチ接触点部237から僅かに離しているものであるから、スイッチ200のオンオフを確実に行うことができる。
【００７３】
また、揺動接点板240は、長方形平板状の本体部241としたステンレススチール等の金属板であるため、形状保持性が高く、製品毎のバラツキが生じ難く、接点部245とスイッチ接触点部237との間隔を一定とする製品の製造が容易となるものである。
【００７４】
更に、製造誤差や組み立て誤差等によりバラツキが生じ、接点部245とスイッチ接触点部237とが接触し易くなってしまい、スイッチ可動体210の自重のみで非作動時にもスイッチ200がオン状態となってしまうような製品に組み上がる歩行玩具100であっても、揺動接点板240の垂直部243の上端244と永久磁石151との距離を調整して揺動接点板240の後端を磁石に引き付ける力を強くし、接点部245とスイッチ接触点部237との接触を生じ難くすることが容易に可能となる。
【００７５】
即ち、永久磁石151を僅かに下方にずらせて永久磁石151と揺動接点板240の後端との距離を小さくする、または、揺動接点板240の本体部241の前後端部を上方へ押し上げて本体部241をそらせるように僅かに湾曲させ、本体部241の前端がスイッチ可動体210の本体211の上面に接した状態で垂直部243の上端244を永久磁石151に近づける、更には、揺動接点板240の支持腕部247の先端を下方とするように支持腕部247の全体を湾曲させて本体部241の支持腕部247位置を高くして本体部241の前端がスイッチ可動体210の本体211上面に接した状態で垂直部243の上端244を永久磁石151に近づける、等により揺動接点板240の垂直部243を永久磁石151に近づけて揺動接点板240の後端を引き上げる力を大きくすることできるものである。
【００７６】
そして、揺動接点板240の本体部241を湾曲させる、又は支持腕部247を湾曲させるに際し、板状長方形のステンレススチール等の金属板における長軸方向を所定の湾曲状態とすることは、弾性を有する鋼線の湾曲調整と比較して極めて容易に且つ短時間で所定の湾曲状態に調整することを可能とし、揺動接点板240の接点部245を第２の導線板230のスイッチ接触点部237に接触させるために必要な力の調整を容易とするものである。
【００７７】
また、永久磁石151の背板121への固定位置を調整することも、極めて短時間で容易に位置変更を行って調整することができるため、永久磁石151と揺動接点板240の垂直部上端244との距離を調整して揺動接点板240の接点部245を第２の導線板230のスイッチ接触点部237に接触させるために必要な力の調整が容易であって、不使用時に無駄な電池155の消耗を行う不良品の発生を容易に防止することができるものである。
【産業上の利用可能性】
【００７８】
本発明に係る歩行玩具用スイッチは、スイッチの接点間隔を所定の範囲内として歩行玩具100を組み立てることが容易なスイッチ200であり、且つ、当該スイッチ200をオン状態とするために必要な押圧力の調整も容易であって、当該スイッチ200が不要にオン状態となって無駄に電池を消耗させることのない歩行玩具100とすることのできる歩行玩具用スイッチである。
【符号の説明】
【００７９】
１００  歩行玩具
１１０  外装ケース
１１１  顔                            １１２  耳
１１３  疑似脚
１１５  電池カバー
１２０  可動体
１２１  背板                          １２３  電池収納部
１２５  磁石収納部                    １２７  電極穴
１３１  側面板                        １３３  揺動ピン
１３５  接点板押圧部
１４１  底板                          １４３  貫通穴
１４５  接点板本体収納部              １４６  接点板腕収納部
１４７  補助支持突起                  １４８  下部解放部
１４９  前足部
１５１  永久磁石                      １５５  電池
１６０  揺動部材
１６１  揺動板                        １６３  脚部
１６５  軸穴                          １６８  後足部
１６９  接地部
１７１  接続板                        １７３  正面部
１７５  延長部                        １７７  コイル固定部
１８０  電磁石                        １８１  コイル
１８３  コイルリード線
１９１  歩行面
２００  スイッチ
２１０  スイッチ可動体                ２１１  本体
２１２  側部                          ２１３  上端部
２１４  突出部                        ２１５  下端部
２１７  窪み部
２２０  第１の導線板
２２１  本体部                        ２２３  接点部
２２５  前方突出部
２３０  第２の導線板
２３１  垂直延設部                    ２３３  接触部
２３５  水平部                        ２３７  スイッチ接触点部
２４０  揺動接点板
２４１  本体部                        ２４３  垂直部
２４４  上端                          ２４５  接点部
２４７  支持腕部                      ２４９  コード接続部
２５０  第３の導線板
２５１  垂直部                        ２５３  水平部
２５５  弾性接点棒                    ２５６  棒状部
２５７  先端部                        ２５９  折返し部
【図１】
2020048863.tif 000003
【図２】
2020048863.tif 000004
【図３】
2020048863.tif 000005
【図４】
2020048863.tif 000006
【図５】
2020048863.tif 000007
【図６】
2020048863.tif 000008
【図７】
2020048863.tif 000009